【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
互いに対向して、複数の放電セルからなる放電空間を形成する第１及び第２基板、前記第１基板の前記第２基板側において、隙領域を挟んで互いに平行に形成された第１及び第２の電極、前記第１及び第２の電極が露出しないように前記第１及び第２の電極を覆う誘電体、前記誘電体を覆う保護層、を備え、
前記誘電体は、少なくとも前記隙領域において、底が前記第１基板の前記第２基板側の表面に位置する凹部を呈することを特徴とするプラズマディスプレイパネル。
【請求項２】
第２基板の第１基板側において、放電空間を区画するための第１及び第２の電極と交差する方向に延びる隔壁を更に備え、前記第１及び第２の電極は、前記隔壁上を除く放電セル内において、凹部へ延びる突出部を有することを特徴とする請求項１に記載のプラズマディスプレイパネル。
【請求項３】
底は、第１基板の内部に位置することを特徴とする請求項１又は請求項２に記載のプラズマディスプレイパネル。
【請求項４】
第１及び第２の電極から誘電体表面までの距離は、前記誘電体の凹部に近いほど長いことを特徴とする請求項１〜請求項３のいずれかに記載のプラズマディスプレイパネル。
【請求項５】
互いに対向して、複数の放電セルからなる放電空間を形成する第１及び第２基板、前記第１基板の前記第２基板側において、隙領域を挟んで互いに平行に形成された第１及び第２の電極、前記第２基板の前記第１基板側において、前記放電空間を区画するための前記第１及び第２の電極と交差する方向に延びる隔壁、前記第１及び第２の電極が露出しないように前記第１及び第２の電極を覆う誘電体、前記誘電体を覆う保護層、を備え、
前記誘電体は、少なくとも前記隙領域においてその厚さが局部的に薄いことによる凹部を呈し、前記第１及び第２の電極は、前記隔壁上を除く放電セル内において前記凹部へ延びる突出部を有することを特徴とするプラズマディスプレイパネル。
【請求項６】
互いに対向して、複数の放電セルからなる放電空間を形成する第１及び第２基板、前記第１基板の前記第２基板側において、隙領域を挟んで互いに平行に形成された第１及び第２の電極、前記第１及び第２の電極が露出しないように前記第１及び第２の電極を覆う誘電体、前記誘電体を覆う保護層、を備え、
前記誘電体は、少なくとも前記隙領域においてその厚さが局部的に薄いことによる凹部を呈し、前記第１及び第２の電極から前記誘電体表面までの距離は、前記誘電体の凹部に近いほど長いことを特徴とするプラズマディスプレイパネル。
【請求項７】
第１及び第２の電極は、第１基板から第２基板側に離れて形成され、誘電体は、前記第１及び第２の電極の前記第１基板側をも覆うことを特徴とする請求項１〜請求項６のいずれかに記載のプラズマディスプレイパネル。
【手続補正２】
【補正対象書類名】明細書
【補正対象項目名】００１０
【補正方法】変更
【補正の内容】
【００１０】
【課題を解決するための手段】
本発明の請求項１に係る課題解決手段は、互いに対向して、複数の放電セルからなる放電空間を形成する第１及び第２基板、前記第１基板の前記第２基板側において、隙領域を挟んで互いに平行に形成された第１及び第２の電極、前記第１及び第２の電極が露出しないように前記第１及び第２の電極を覆う誘電体、前記誘電体を覆う保護層、を備え、前記誘電体は、少なくとも前記隙領域において、底が前記第１基板の前記第２基板側の表面に位置する凹部を呈するものである。
【手続補正３】
【補正対象書類名】明細書
【補正対象項目名】００１１
【補正方法】変更
【補正の内容】
【００１１】
本発明の請求項２に係る課題解決手段は、請求項１に記載の手段であって、第２基板の第１基板側において、放電空間を区画するための第１及び第２の電極と交差する方向に延びる隔壁を更に備え、前記第１及び第２の電極は、前記隔壁上を除く放電セル内において、凹部へ延びる突出部を有するものである。
【手続補正４】
【補正対象書類名】明細書
【補正対象項目名】００１２
【補正方法】変更
【補正の内容】
【００１２】
本発明の請求項３に係る課題解決手段は、請求項１又は請求項２に記載の手段であって、凹部の底は、第１基板の内部に位置するものである。
【手続補正５】
【補正対象書類名】明細書
【補正対象項目名】００１３
【補正方法】変更
【補正の内容】
【００１３】
本発明の請求項４に係る課題解決手段は、請求項１〜請求項３のいずれかに記載の手段であって、第１及び第２の電極から誘電体表面までの距離は、前記誘電体の凹部に近いほど長いものである。
【手続補正６】
【補正対象書類名】明細書
【補正対象項目名】００１４
【補正方法】変更
【補正の内容】
【００１４】
本発明の請求項５に係る課題解決手段は、互いに対向して、複数の放電セルからなる放電空間を形成する第１及び第２基板、前記第１基板の前記第２基板側において、隙領域を挟んで互いに平行に形成された第１及び第２の電極、前記第２基板の前記第１基板側において、前記放電空間を区画するための前記第１及び第２の電極と交差する方向に延びる隔壁、前記第１及び第２の電極が露出しないように前記第１及び第２の電極を覆う誘電体、前記誘電体を覆う保護層、を備え、前記誘電体は、少なくとも前記隙領域においてその厚さが局部的に薄いことによる凹部を呈し、前記第１及び第２の電極は、前記隔壁上を除く放電セル内において前記凹部へ延びる突出部を有するものである。
【手続補正７】
【補正対象書類名】明細書
【補正対象項目名】００１５
【補正方法】変更
【補正の内容】
【００１５】
本発明の請求項６に係る課題解決手段は、互いに対向して、複数の放電セルからなる放電空間を形成する第１及び第２基板、前記第１基板の前記第２基板側において、隙領域を挟んで互いに平行に形成された第１及び第２の電極、前記第１及び第２の電極が露出しないように前記第１及び第２の電極を覆う誘電体、前記誘電体を覆う保護層、を備え、前記誘電体は、少なくとも前記隙領域においてその厚さが局部的に薄いことによる凹部を呈し、前記第１及び第２の電極から前記誘電体表面までの距離は、前記誘電体の凹部に近いほど長いものである。
【手続補正８】
【補正対象書類名】明細書
【補正対象項目名】００１６
【補正方法】変更
【補正の内容】
【００１６】
本発明の請求項７に係る課題解決手段は、請求項１〜請求項６のいずれかに記載の手段であって、第１及び第２の電極は、第１基板から第２基板側に離れて形成され、誘電体は、前記第１及び第２の電極の前記第１基板側をも覆うものである。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００３４
【補正方法】変更
【補正の内容】
【００３４】
図２は実施の形態２の構成の一例を示す平面図であり、図１に対応している。図２（ｂ）は図２（ａ）の切断線IIｂ−IIｂにおける断面図である。図２（ａ）の切断線IIIｃ−IIIｃにおける断面については図３に示す。
【手続補正１２】
【補正対象書類名】明細書
【補正対象項目名】００６８
【補正方法】変更
【補正の内容】
【００６８】
本発明請求項２によると、第１及び第２の電極は、凹部へ延びる突出部を有しているため、放電セルでの凹部の電界強度は、隔壁での凹部の電界強度と比較して強い。したがって、放電は隔壁での凹部では生じず、放電によって生じた電荷が溝を通って隣りの放電セルへ入るということが抑制される。よって、ある放電セルの放電が隣りの放電セルへ与える影響を低減でき、安定した駆動を実現できる。
【手続補正１３】
【補正対象書類名】明細書
【補正対象項目名】００６９
【補正方法】変更
【補正の内容】
【００６９】
本発明請求項３によると、隙領域を貫通して放電空間が存在し、凹部内では電界強度がほぼ均一に分布する。よって、凹部内全体の電界強度は、さらに強くなるため、さらに低い電圧で放電させることができる。
【手続補正１４】
【補正対象書類名】明細書
【補正対象項目名】００７０
【補正方法】変更
【補正の内容】
【００７０】
本発明請求項４によると、第１及び第２の電極から誘電体層表面までの距離は凹部に近いほど長いため、凹部付近の誘電体層の寿命や絶縁破壊を抑えることができる。
【手続補正１５】
【補正対象書類名】明細書
【補正対象項目名】００７１
【補正方法】変更
【補正の内容】
【００７１】
本発明請求項５によると、第１及び第２の電極は、凹部へ延びる突出部を有しているため、放電セルでの凹部の電界強度は、隔壁での凹部の電界強度と比較して強い。したがって、放電は隔壁での凹部では生じず、放電によって生じた電荷が溝を通って隣りの放電セルへ入るということが抑制される。よって、ある放電セルの放電が隣りの放電セルへ与える影響を低減でき、安定した駆動を実現できる。
【手続補正１６】
【補正対象書類名】明細書
【補正対象項目名】００７２
【補正方法】変更
【補正の内容】
【００７２】
本発明請求項６によると、第１及び第２の電極から誘電体層表面までの距離は凹部に近いほど長いため、凹部付近の誘電体層の寿命や絶縁破壊を抑えることができる。
【手続補正１７】
【補正対象書類名】明細書
【補正対象項目名】００７３
【補正方法】変更
【補正の内容】
【００７３】
本発明請求項７によると、隙領域を貫通して放電空間が存在し、第１及び第２の電極の表面側及び裏面側に誘電体が存在するため、凹部内の電界強度は、均一に分布する。よって、凹部内全体の電界強度は、さらに強くなるため、さらに低い電圧で放電させることができる。
【手続補正１８】
【補正対象書類名】明細書
【補正対象項目名】００７４
【補正方法】削除
【補正の内容】
【手続補正１９】
【補正対象書類名】明細書
【補正対象項目名】００７５
【補正方法】削除
【補正の内容】